(57)【要約】【課題】    庇体の取り付け位置精度及び作業性を向上させる。【解決手段】    上固定具５は外壁８の屋外側に突出する吊持アーム固定部５１を有し、躯体Ｋに固定するとともに、吊持アーム固定部５１に吊持アーム３を固定してあり、下固定具６は外壁８及び横材４を貫通するボルト軸６１を有し、躯体Ｋに固定するとともに、横材４をボルト軸６１の屋外側からナット６２で締結しており、シーラー７はマーク部７４及び上固定具５のねじ下孔７５を有する上固定具シール部７１と、マーク部７４及び下固定具のねじ下孔７６を有する下固定具シール部７２と、上固定具シール部７１と下固定具シール部７２とを繋ぐ連結部７３を有している。【選択図】        図１
2005146580.tif 000002
【特許請求の範囲】
【請求項１】
外壁の屋外側に取り付ける庇と、一端部を庇の上面に固定する左右の吊持アームと、吊持アームの他端部を外壁の屋外側に固定する左右の上固定具と、庇の外壁側端部を固定する横材と、横材を外壁の屋外側に固定する左右の下固定具と、上固定具及び下固定具と躯体との間で躯体側に貼り付ける左右のシーラーとを備え、
上固定具は躯体に固定してあるとともに、外壁の屋外側に突出する吊持アーム固定部を有し、吊持アーム固定部に吊持アームを固定してあり、
下固定具は躯体に固定してあるとともに、外壁及び横材を貫通するボルト軸を有し、ボルト軸にナットをかけて横材を固定してあり、
シーラーはマーク部及び上固定具のねじ下孔を有する上固定具シール部と、マーク部及び下固定具のねじ下孔を有する下固定具シール部と、上固定具シール部と下固定具シール部とを繋ぐ連結部を有していることを特徴とする庇体。
【発明の詳細な説明】
【技術分野】
【０００１】
本発明は例えば玄関先の雨除け或いは日除け屋根などとして、建屋の外壁に取り付ける庇体に関するものである。
【背景技術】
【０００２】
従来、上記した庇体を外壁に固定する方法は種々知られており、例えば、特許文献１では庇本体の上面に固着したアーム材を壁面に固定したブラケットに連結して、取り付けを簡便且つ強固にしたものが開示されている。
【特許文献１】特開平６−１９３２２３号公報
【発明の開示】
【発明が解決しようとする課題】
【０００３】
ところが上記した従来の庇体においては、例えば上記特許文献１のブラケットなどの取付金具を壁面に固定する場合には、躯体に墨出ししておき、各取付金具の位置を一つ一つ墨に合わせてねじ止め固定する方法が通常用いられ、その場合、取り付けねじ用の下孔を金具の孔位置に合わせて一々明ける必要があるので作業がしにくく、また、このときに位置ずれしやすいので金具の取り付け位置精度が不安定になるという問題があり、こうした問題を解決することが従来の課題となっていた。
【課題を解決するための手段】
【０００４】
請求項１に記載の発明は、外壁の屋外側に取り付ける庇と、一端部を庇の上面に固定する左右の吊持アームと、吊持アームの他端部を外壁の屋外側に固定する左右の上固定具と、庇の外壁側端部を固定する横材と、横材を外壁の屋外側に固定する左右の下固定具と、上固定具及び下固定具と躯体との間で躯体側に貼り付ける左右のシーラーとを備え、上固定具は躯体に固定してあるとともに、外壁の屋外側に突出する吊持アーム固定部を有し、吊持アーム固定部に吊持アームを固定してあり、下固定具は躯体に固定してあるとともに、外壁及び横材を貫通するボルト軸を有し、ボルト軸にナットをかけて横材を固定してあり、シーラーはマーク部及び上固定具のねじ下孔を有する上固定具シール部と、マーク部及び下固定具のねじ下孔を有する下固定具シール部と、上固定具シール部と下固定具シール部とを繋ぐ連結部を有している構成を前述した従来の課題を解決するための手段としている。
【発明の効果】
【０００５】
本発明の請求項１に係わる庇体において、上固定具は吊持アーム固定部が外壁の屋外側に突出しているものであり、且つ、下固定具はボルト軸が外壁及び横材を貫通しているものであるから工法や施工条件などによる外壁の厚みの変化にも自在に対応できる。
また、シーラーは本来の上固定具及び下固定具取り付け部分の防水機能に加えて、左右のシーラーの貼り付け位置確認の基準としてのマーク部を有しているから、躯体に墨出しし、マーク部の位置を墨に合わせて貼り付ければシーラーを躯体の所定位置に水平、垂直ともに精度良く固定することができる。
そして、シーラーは上固定具シール部と下固定具シール部とを連結部で繋いであるから上固定具シール部と下固定具シール部とのシール材貼り付け作業を別々に行う必要がなく、作業を簡素化且つ迅速化できると同時に、上固定具と下固定具との取り付け間隔もシーラーの下孔位置に従って極めて精度良く固定できる。
加えて、シーラーは上固定具及び下固定具のねじ下孔を有しているから、躯体に上固定具及び下固定具取り付け用の下孔を明けるときにもシーラーに設けてあるねじ下孔の位置に合わせるだけでよいので極めて容易に作業を行うことができるものであり、上固定具及び下固定具の取り付けもねじ下孔の位置に合わせるだけで高い位置精度で可能になるという効果を有する。
【発明を実施するための最良の形態】
【０００６】
以下、本発明をモルタル外壁に適用した場合の実施の形態を図面に基づいて説明する。
【０００７】
図１〜図４は本発明に係わる庇体の第一実施形態を表わしている。躯体Ｋは左右の柱Ｋ１、Ｋ１と、左右の柱Ｋ１、Ｋ１間に固定した上下の下地材Ｋ２、Ｋ２とを有している。上下の下地材Ｋ２、Ｋ２の柱Ｋ１、Ｋ１間での固定位置は後述する庇体１の上固定具５及び下固定具６の取り付け高さ位置としてある。躯体Ｋには図２及び図３に示す如く予め防水シート８１を貼り付けてある。図１は躯体Ｋの開口部Ｇを形成するサッシ枠体Ｆの上部において庇体１を躯体Ｋの屋外側に施工したモルタル外壁８に取り付けた状態の全体概観を示し、図２（ａ）は図１のＡ部、即ち庇体１の上固定具５を中心とする部分の取り付け状態を示す拡大図であり、図２（ｂ）は図１のＢ部、即ち庇体１の下固定具６を中心とする部分の取り付け状態を示す拡大図である。図３は第一実施形態の庇体１の分解及び施工工程説明斜視図であり、図３（ａ）は防水シート８１を貼り付けた躯体Ｋへのシーラー７、上固定具５、下固定具６及び胴縁８２の取り付けを、図３（ｂ）は図３（ａ）に続いてモルタル外壁の下地となる胴縁８２、アスファルトフェルト８３及びラス８４の施工を、そして図３（ｃ）は図３（ｂ）に続いてモルタル仕上げ後の外壁８に横材４、庇２及び吊持アーム３を取り付ける工程を示している。
【０００８】
本発明の第一実施形態の庇体１は図1、図２（ａ）、（ｂ）及び図３に示すように、外壁８の屋外側に取り付ける庇２と、左右の吊持アーム３、３と、横材４と、左右の上固定具５、５と、左右の下固定具６、６と、上固定具５及び下固定具６の躯体Ｋ側に貼り付けてシールする左右のシーラー７、７とを備えている。庇２は外壁８側の端部上面に横材係合部２１を有し、水平方向中間部の上面に吊持部２２を設けてある。吊持アーム３は一端部を庇側固定部３１として庇２の吊持部２２に支持ボルト・ナット３３で固定してあり、他端部を躯体側固定部３２としてある。横材４は上端部屋外側に庇２の横材係合部２１を上方に懸持して固定する係合突条４２を設けてあり、外壁８に面する側面にボルト貫通孔４１を設けてある。上固定具５は外壁８の屋外側に突出して吊持アーム３の躯体側固定部３２を支持ボルト・ナット３３で固定する吊持アーム固定部５１と、上方の下地材Ｋ２に固定するねじ止め固定部５３とを有している。下固定具６は外壁８及び横材４のボルト貫通孔４１を貫通して屋外側に突出するボルト軸６１と、屋外側からボルト軸６１に螺合して横材４を外壁８に締結固定するナット６２と、下方の下地材Ｋ２に固定するねじ止め固定部６３とを有している。
【０００９】
シーラー７は躯体側面を粘着面として躯体に貼り付けるシート状のシール材であり、この場合の躯体には防水シート８１を含むものとする。図４に示す如く、シーラーは上固定具５に当接する上固定具シール部７１と、下固定具６に当接する下固定具シール部７２と、上固定具シール部７１と下固定具シール部７２とを繋ぐ連結部７３とを有している。上固定具シール部７１は上辺略中央と左右両辺の略中央に各々ノッチ状のマーク部７４、７４、７４を有するとともに、上固定具５のねじ止め固定部５３のねじ孔位置に合わせてねじ下孔７５、７５、・・・を設けてある。下固定具シール部７２は下辺略中央と左右両辺の略中央に各々ノッチ状のマーク部７４、７４、７４を有するとともに、下固定具６のねじ止め固定部６３のねじ孔位置に合わせてねじ下孔７６、７６、・・・を設けてある。
【００１０】
以下、主に図３を用いて第一実施形態の庇体１を躯体Ｋの外壁８の屋外側面に取り付ける際の施工手順について説明する。
【００１１】
図３（ａ）に示すように、庇体１の上固定具５及び下固定具６を躯体Ｋに取り付ける位置には柱Ｋ１、Ｋ１間に上固定具５及び下固定具６の取り付け高さ、且つ、所定上下間隔に合わせて下地材Ｋ２、Ｋ２を差し渡して固定し、庇体１の過重に耐え得るように補強しておく。躯体Ｋの屋外側には全面に渡って防水シート８１が張り付けられる。防水シート８１の上から上固定具５及び下固定具６の下地材Ｋ２への取り付け中心位置に合わせて縦位置及び水平位置に墨出ししておく。次に、墨出しした縦位置及び水平位置にシーラー７のマーク部７４、７４、・・・の位置を正確に合わせてシーラー７を貼り付け、シーラー７に設けてあるねじ下孔７５、７５、・・・の位置に合わせて下地材Ｋ２に上固定具５の取り付けに用いる取付ねじ９５、９５、・・・用の下孔を明ける。次に、上固定具５、５のねじ止め固定部５３に設けたねじ穴位置をシーラー７のねじ下孔７５、７５、・・・の位置に合わせて上固定具５の取り付けに用いる取付ねじ９５、９５、・・・をねじ込み、上固定具５を上側の下地材Ｋ２に固定する。同様に、下固定具６、６のねじ止め固定部６３に設けたねじ穴位置をシーラー７のねじ下孔７６、７６、・・・の位置に合わせて下固定具６の取り付けに用いる取付ねじ９６、９６、・・・をねじ込み、下固定具５を下側の下地材Ｋ２に固定する。このようにシーラー７の貼り付けはマーク部７４を目印にして墨位置に合わせるだけで正確に位置決めすることができるとともに、躯体Ｋ（下地材Ｋ２）に上固定具５及び下固定具６のねじ止め用の下孔を明ける場合にもシーラーのねじ下孔７５或いは７６の位置に明ければよいので作業を迅速且つ容易に行うことができるという効果を有する。加えて上固定具５及び下固定具６の取り付け、ねじ止め固定も上固定具５及び下固定具６のねじ止め固定部５３及び６３のねじ穴位置をシーラーのねじ下孔７５及び７６の位置に合わせて行えば正確に位置が決まってしまうので作業が容易であり、且つ、上固定具シール部７１とした固定具シール部７２とは連結部７３で連結して一体のものであるからシーラーの貼り付け作業は上下同時にできるという効果とともに、上固定具５と下固定具６との間隔も正確に位置決めされることとなるという効果も有するものである。
【００１２】
続いて図３（ｂ）に示すように、モルタル下地用の胴縁８２、８２、・・・の張り付けを行うが、図３（ａ）に一部図示したように上固定具５及び下固定具６の取り付け位置に重なる胴縁８２は上固定具５及び下固定具６の位置を切断して取付釘９１、９１、・・・で下地材に直接張り付け固定する。その他の胴縁８２、８２、・・・は柱Ｋ１、Ｋ１に釘付けする。次いでアスファルトフェルト８３及びラス８４を張り付けるが、このときアスファルトフェルト８３及びラス８４には上固定具５の吊持アーム固定部５１及び下固定具６のボルト軸６１と干渉しないように切り抜き穴８６、８６を明けておいて張り付け、張り付けた後の吊持アーム固定部５１及びボルト軸６１とアスファルトフェルト８３との隙間には湿式シーリング材でシーリングしておく。以上の下処理を行った上でモルタル８５で仕上げを行う。
【００１３】
モルタル仕上げが完了して乾燥したら図３（ｃ）及び図２（ｂ）に示すように下固定具６のボルト軸６１の屋外側突出部に横材４のボルト貫通孔４１を差し込んで、ナット６２を屋外側からボルト軸６１に螺入し、横材４をモルタル仕上げした外壁８に締結する。次にこのように固定した横材４の係合突条４２に庇２の外壁側端部に設けた横材係合部２１を上方から係合して庇２の外壁側端部の位置を確定し、吊持アーム３の躯体側固定部３２と上固定具５の吊持アーム固定部５１との双方の孔位置を合わせて支持ボルト・ナット３３で固定し、そして吊持アーム３の庇側固定部３１と庇２の吊持部２２との双方の孔位置を合わせて支持ボルト・ナット３３で固定すれば、庇２は躯体Ｋに横材４と吊持アーム３とで支持されていることとなる。庇２の屋内外方向の勾配は吊持アーム３のターンバックル部３４を伸縮させて調整することができ、それが確定したら最後に図２（ｂ）に示したように固定ねじ９２を用いて横材４の係合突条４２と庇２の外壁側端部の横材係合部２１とをねじ止め固定すれば庇体１の取り付け作業は完了する。このように、上固定具５の吊持アーム固定部５１は外壁の屋外側に突出して吊持アーム３の躯体側固定部３２を固定するものであり、下固定具６のボルト軸６１は外壁の屋外側に突出して屋外側から横材４を締結するものであるから、モルタルの施工仕様などによる外壁の厚みの相違に自在に対応できるという効果を有する。
【００１４】
本発明は、上述した実施の形態に限らず、本発明の趣旨を逸脱しない範囲で種々の変更が可能である。例えば、本発明に係わる庇体において、取り付けの対象となる外壁の種類としてモルタル外壁の場合を例示したが、窯業サイディングや金属サイディングなど、通常用いられる各種の外壁材の場合にも同様に適用することができ、壁材の厚みの相違にも自在に対応できるものである。庇２の幅が柱Ｋ１、Ｋ１の間隔に略等しい場合を例示したので柱Ｋ１、Ｋ１の中間に取り付けたものとしたが、庇の幅がより広いものの場合には左右のシーラー７及び上固定具５、下固定具６は柱Ｋ１、Ｋ１間の外側に取り付けるようにしてあっても良く、その場合には下地材Ｋ２も柱Ｋ１、Ｋ１間の外側に取り付けることとなる。
【図面の簡単な説明】
【００１５】
【図１】第一実施形態の庇体１の取り付け状態を示す縦断面説明図である。
【図２】図１に示した庇体１の（ａ）はＡ部拡大図、（ｂ）はＢ部拡大図である。
【図３】第一実施形態の庇体１の分解及び施工工程説明斜視図である。
【図４】図３のＣ部におけるシーラー７の拡大斜視図である。
【符号の説明】
【００１６】
１      庇体
２      庇
３      吊持アーム
４      横材
５      上固定具
５１    吊持アーム固定部
６      下固定具
６１    ボルト軸
６２    ナット
７      シーラー
７１    上固定具シール部
７２    下固定具シール部
７３    連結部
７４    マーク部
７５、７６    ねじ下孔
８      外壁
Ｋ      躯体
【図１】
2005146580.tif 000003
【図２】
2005146580.tif 000004
【図３】
2005146580.tif 000005
【図４】
2005146580.tif 000006